(57)【要約】【課題】  発電状態において燃料電池の電解質膜の水分量を高感度に測定することが可能な燃料電池及び水分量測定装置を実現する。【解決手段】  水素と酸素とを化学反応させることにより発電を行う燃料電池において、電解質膜と、この電解質膜の両面に形成される第１及び第２の触媒層・拡散層と、前記第１の触媒層・拡散層に形成される燃料ガスのガス流路と、前記第２の触媒層・拡散層に形成される酸化ガスのガス流路と、前記第１及び第２の触媒層・拡散層、前記各ガス流路上にそれぞれ形成される第１及び第２のセパレータと、この第１のセパレータ内にそれぞれ形成され前記第１のセパレータとの境界面が第１の絶縁膜で覆われた第１の電極と、前記第２のセパレータ内にそれぞれ形成され前記第２のセパレータとの境界面が第２の絶縁膜で覆われた第２の電極とを設ける。【選択図】                    図１
2008059782.tif 000002
【特許請求の範囲】
【請求項１】
水素と酸素とを化学反応させることにより発電を行う燃料電池において、
電解質膜と、
この電解質膜の両面に形成される第１及び第２の触媒層・拡散層と、
前記第１の触媒層・拡散層に形成される燃料ガスのガス流路と、
前記第２の触媒層・拡散層に形成される酸化ガスのガス流路と、
前記第１及び第２の触媒層・拡散層、前記各ガス流路上にそれぞれ形成される第１及び第２のセパレータと、
この第１のセパレータ内にそれぞれ形成され前記第１のセパレータとの境界面が第１の絶縁膜で覆われた第１の電極と、
前記第２のセパレータ内にそれぞれ形成され前記第２のセパレータとの境界面が第２の絶縁膜で覆われた第２の電極と
を備えたことを特徴とする燃料電池。
【請求項２】
前記第１及び第２の電極に前記第１及び第２の絶縁膜の温度を調整する温度調整手段を備えたことを特徴とする
請求項１記載の燃料電池。
【請求項３】
前記温度調整手段が、
前記第１及び第２の絶縁膜の温度を変化させて前記第１及び第２の絶縁膜の誘電率を変化させ、前記第１及び第２の絶縁膜の静電容量値を前記電解質膜の静電容量値に近づけることを特徴とする
請求項２記載の燃料電池。
【請求項４】
前記温度調整手段が、
ヒータ若しくはペルチエ素子であることを特徴とする
請求項２記載の燃料電池。
【請求項５】
水素と酸素とを化学反応させることにより発電を行う燃料電池の水分量測定装置において、
電解質膜と、
この電解質膜の両面に形成される第１及び第２の触媒層・拡散層と、
前記第１の触媒層・拡散層に形成される燃料ガスのガス流路と、
前記第２の触媒層・拡散層に形成される酸化ガスのガス流路と、
前記第１及び第２の触媒層・拡散層、前記各ガス流路上にそれぞれ形成される第１及び第２のセパレータと、
この第１のセパレータ内にそれぞれ形成され前記第１のセパレータとの境界面が第１の絶縁膜で覆われた第１の電極と、
前記第２のセパレータ内にそれぞれ形成され前記第２のセパレータとの境界面が第２の絶縁膜で覆われた第２の電極と、
前記第１及び第２の電極間の静電容量を測定し、測定された静電容量値から演算により電解質膜の水分量を求める静電容量測定装置と
を備えたことを特徴とする水分量測定装置。
【請求項６】
前記第１及び第２の電極に前記第１及び第２の絶縁膜の温度を調整する温度調整手段を備えたことを特徴とする
請求項５記載の水分量測定装置。
【請求項７】
前記温度調整手段が、
前記第１及び第２の絶縁膜の温度を変化させて前記第１及び第２の絶縁膜の誘電率を変化させ、前記第１及び第２の絶縁膜の静電容量値を前記電解質膜の静電容量値に近づけることを特徴とする
請求項６記載の水分量測定装置。
【請求項８】
前記温度調整手段が、
ヒータ若しくはペルチエ素子であることを特徴とする
請求項６記載の水分量測定装置。
【発明の詳細な説明】
【技術分野】
【０００１】
本発明は、水素と酸素とを化学反応させることにより発電を行う燃料電池に関し、特に発電状態において燃料電池の電解質膜の水分量を高感度に測定することが可能な燃料電池及び水分量測定装置に関する。
【背景技術】
【０００２】
従来の水素と酸素とを化学反応させることにより発電を行う燃料電池に関連する先行技術文献としては次のようなものがある。
【０００３】
【特許文献１】特開２００３−０３６８７５号公報
【特許文献２】特開２００４−１４６２３６号公報
【特許文献３】特開２００４−２２０７８６号公報
【特許文献４】特開２００５−０７９０７６号公報
【０００４】
図５は従来の燃料電池システムの一例を示す構成ブロック図である。図５において１は電解質膜、２及び３は触媒層・拡散層である。電解質膜１の両面には触媒層・拡散層２及び触媒層・拡散層３がそれぞれ形成される。
【０００５】
図５中”ＦＧ０１”に示すように燃料ガス（例えば、水素等）が触媒層・拡散層２に供給され、図５中”ＯＧ０１”に示すように酸化ガス（例えば、酸素や空気等）が触媒層・拡散層３に供給される。
【０００６】
ここで、図５に示す従来例の動作を説明する。触媒層・拡散層２側（アノード側）では水素が水素イオン（Ｈ＋ ）になり電子（ｅ− ）を放出し、一方、触媒層・拡散層３側（カソード側）では電解質膜１を伝播してきた水素イオン（Ｈ＋ ）と酸素原子が電子（ｅ− ）と反応して水（Ｈ２Ｏ ）が生成される。
【０００７】
この時、触媒層・拡散層２（アノード側）及び触媒層・拡散層３（カソード側）間の外部負荷を接続することにより、触媒層・拡散層２側（アノード側）で発生した電子（ｅ− ）を取り出す、言い換えれば、直流電流を取り出すことが可能になる。
【０００８】
また、図６及び図７はより具体的な従来の燃料電池の一例を示す断面図である。図６は燃料電池の電解質膜に対して垂直な面における断面図、図７は燃料電池におけるガス流路に平行な面における断面図である。
【０００９】
図６において４は電解質膜、５はアノード側の触媒層・拡散層、６はカソード側の触媒層・拡散層、７はアノード側に形成された燃料ガス（例えば、水素等）のガス流路、８はカソード側に形成された酸化ガス（酸素や空気等）のガス流路、９はアノード側に形成された導電性を有するセパレータ、１０はカソード側に形成された導電性を有するセパレータである。
【００１０】
電解質膜４の両面には触媒層・拡散層５及び触媒層・拡散層６がそれぞれ形成される。また、触媒層・拡散層５の上には燃料ガス（例えば、水素等）のガス流路７が形成され、触媒層・拡散層６の上には酸化ガス（例えば、酸素や空気等）のガス流路８が形成される。
【００１１】
例えば、ガス流路７及びガス流路８は図７中”ＧＴ１１”に示すように触媒層・拡散層５及び触媒層・拡散層６上を蛇行するように形成されている。
【００１２】
さらに、ガス流路７が形成されていない触媒層・拡散層５及びガス流路７の上にはセパレータ９が形成され、ガス流路８が形成されていない触媒層・拡散層６及びガス流路８の上にはセパレータ１０が形成される。
【００１３】
ここで、図６及び図７に示す従来例の動作を説明する。ガス流路７には燃料ガス（例えば、水素等）が供給され、ガス流路８には酸化ガス（例えば、酸素や空気等）が供給される。例えば、図７中”ＩＮ１１”に示す供給口から各ガスが供給され、図７中”ＯＴ１１”に示す排気口から反応しなかったガス等が放出される。
【００１４】
アノード側の触媒層・拡散層５では水素が水素イオン（Ｈ＋ ）になり電子（ｅ− ）を放出し、一方、カソード側の触媒層・拡散層６側では電解質膜４を伝播してきた水素イオン（Ｈ＋ ）と酸素原子が電子（ｅ− ）と反応して水（Ｈ２Ｏ ）が生成される。
【００１５】
この時、アノード側の触媒層・拡散層５及びカソード側の触媒層・拡散層６（具体的には、セパレータ９とセパレータ１０）と間の外部負荷を接続することにより、アノード側の触媒層・拡散層５で発生した電子（ｅ− ）を取り出す、言い換えれば、直流電流を取り出すことが可能になる。
【００１６】
但し、電解質膜４を伝播してきた水素イオン（Ｈ＋ ）と酸素原子が電子（ｅ− ）と反応して生成される水（Ｈ２Ｏ ）の水分量は燃料電池の特性に大きく影響を及ぼすものであり、「特許文献２」には燃料電池内部の水分量を測定する手段を設けた燃料電池が記載されている。
【００１７】
具体的には、ガス流路に対向した２つの電極を配置して、２つの電極の静電容量を測定して水分量を算出したり、拡散層部分、或いは、電解質部分に対向した２つの電極を配置して、２つの電極の静電容量を測定して水分量を算出したりする例が記載されている。
【００１８】
また、「特許文献３」にはＭＥＡ（Membrane Electrode Assembly：膜電極接合体：電解質膜とその両面に形成される２つの触媒層・拡散層を一体化したもの）の状態で静電容量を測定し、その測定値に基づいて電極性能を評価する事例が記載されている。
【００１９】
具体的には、セル化、若しくは、スタック化する前の膜電極接合体（ＭＥＡ）を２つの集電体で挟持して、静電容量測定装置により、膜電極接合体（ＭＥＡ）の静電容量を測定している。
【発明の開示】
【発明が解決しようとする課題】
【００２０】
しかし、「特許文献２」に記載された従来例では、対向した電極が形成されている部分の水分量しか測定することができず、電解質膜全体の水分量を測定することができないと言った問題点があった。
【００２１】
また、「特許文献３」に記載された従来例では、セル化、若しくは、スタック化する前の膜電極接合体（ＭＥＡ）の静電容量（水分量）を測定することは可能であるものの、セル化、若しくは、スタック化された燃料電池の発電状態での電解質膜の静電容量（水分量）を測定することができないと言った問題点があった。
従って本発明が解決しようとする課題は、発電状態において燃料電池の電解質膜の水分量を高感度に測定することが可能な燃料電池及び水分量測定装置を実現することにある。
【課題を解決するための手段】
【００２２】
このような課題を達成するために、本発明のうち請求項１記載の発明は、
水素と酸素とを化学反応させることにより発電を行う燃料電池において、
電解質膜と、この電解質膜の両面に形成される第１及び第２の触媒層・拡散層と、前記第１の触媒層・拡散層に形成される燃料ガスのガス流路と、前記第２の触媒層・拡散層に形成される酸化ガスのガス流路と、前記第１及び第２の触媒層・拡散層、前記各ガス流路上にそれぞれ形成される第１及び第２のセパレータと、この第１のセパレータ内にそれぞれ形成され前記第１のセパレータとの境界面が第１の絶縁膜で覆われた第１の電極と、前記第２のセパレータ内にそれぞれ形成され前記第２のセパレータとの境界面が第２の絶縁膜で覆われた第２の電極とを備えたことにより、発電状態の燃料電池の電解質膜の水分量の測定が可能になる。
【００２３】
請求項２記載の発明は、
請求項１記載の発明である燃料電池において、
前記第１及び第２の電極に前記第１及び第２の絶縁膜の温度を調整する温度調整手段を備えたことにより、発電状態において燃料電池の電解質膜の水分量を高感度に測定することが可能になる。
【００２４】
請求項３記載の発明は、
請求項２記載の発明である燃料電池において、
前記温度調整手段が、
前記第１及び第２の絶縁膜の温度を変化させて前記第１及び第２の絶縁膜の誘電率を変化させ、前記第１及び第２の絶縁膜の静電容量値を前記電解質膜の静電容量値に近づけることにより、発電状態において燃料電池の電解質膜の水分量を高感度に測定することが可能になる。
【００２５】
請求項４記載の発明は、
請求項２記載の発明である燃料電池において、
前記温度調整手段が、
ヒータ若しくはペルチエ素子であることにより、発電状態において燃料電池の電解質膜の水分量を高感度に測定することが可能になる。
【００２６】
請求項５記載の発明は、
水素と酸素とを化学反応させることにより発電を行う燃料電池の水分量測定装置において、
電解質膜と、この電解質膜の両面に形成される第１及び第２の触媒層・拡散層と、前記第１の触媒層・拡散層に形成される燃料ガスのガス流路と、前記第２の触媒層・拡散層に形成される酸化ガスのガス流路と、前記第１及び第２の触媒層・拡散層、前記各ガス流路上にそれぞれ形成される第１及び第２のセパレータと、この第１のセパレータ内にそれぞれ形成され前記第１のセパレータとの境界面が第１の絶縁膜で覆われた第１の電極と、前記第２のセパレータ内にそれぞれ形成され前記第２のセパレータとの境界面が第２の絶縁膜で覆われた第２の電極と、前記第１及び第２の電極間の静電容量を測定し、測定された静電容量値から演算により電解質膜の水分量を求める静電容量測定装置とを備えたことにより、発電状態の燃料電池の電解質膜の水分量の測定が可能になる。
【００２７】
請求項６記載の発明は、
請求項５記載の発明である水分量測定装置において、
前記第１及び第２の電極に前記第１及び第２の絶縁膜の温度を調整する温度調整手段を備えたことにより、発電状態において燃料電池の電解質膜の水分量を高感度に測定することが可能になる。
【００２８】
請求項７記載の発明は、
請求項６記載の発明である水分量測定装置において、
前記温度調整手段が、
前記第１及び第２の絶縁膜の温度を変化させて前記第１及び第２の絶縁膜の誘電率を変化させ、前記第１及び第２の絶縁膜の静電容量値を前記電解質膜の静電容量値に近づけることにより、発電状態において燃料電池の電解質膜の水分量を高感度に測定することが可能になる。
【００２９】
請求項８記載の発明は、
請求項６記載の発明である水分量測定装置において、
前記温度調整手段が、
ヒータ若しくはペルチエ素子であることにより、発電状態において燃料電池の電解質膜の水分量を高感度に測定することが可能になる。
【発明の効果】
【００３０】
本発明によれば次のような効果がある。
請求項１及び請求項５の発明によれば、アノード側及びカソード側の２つのセパレータ内にそれぞれ形成され当該セパレータとの境界面が絶縁膜で覆われた電極を備え、静電容量測定手段で２つの電極間の静電容量を測定することにより、発電状態の燃料電池の電解質膜の水分量の測定が可能になる。
【００３１】
また、請求項２，３，４，６，７及び請求項８の発明によれば、電極に絶縁膜の温度を調整するヒータ等の温度調整手段をそれぞれ設け、当該電極を覆っている絶縁膜の温度を変化させることにより、絶縁膜の誘電率を変化させ、絶縁膜に起因する静電容量値を電解質膜の静電容量値に近づけることにより、発電状態において燃料電池の電解質膜の水分量を高感度に測定することが可能になる。
【発明を実施するための最良の形態】
【００３２】
以下本発明を図面を用いて詳細に説明する。図１及び図２は本発明に係る燃料電池の一実施例を示す断面図である。図１は燃料電池の電解質膜に対して垂直な面における断面図、図２は燃料電池におけるガス流路に平行な面における断面図である。
【００３３】
図１において、１１は電解質膜、１２はアノード側の触媒層・拡散層、１３はカソード側の触媒層・拡散層、１４はアノード側に形成された燃料ガス（例えば、水素等）のガス流路、１５はカソード側に形成された酸化ガス（酸素や空気等）のガス流路である。また、１６はアノード側に形成された導電性を有するセパレータ、１７はカソード側に形成された導電性を有するセパレータ、１８及び１９は絶縁膜、２０及び２１は電極である。
【００３４】
電解質膜１１の両面には触媒層・拡散層１２及び触媒層・拡散層１３がそれぞれ形成される。また、触媒層・拡散層１２の上には燃料ガス（例えば、水素等）のガス流路１４が形成され、触媒層・拡散層１３の上には酸化ガス（例えば、酸素や空気等）のガス流路１５が形成される。
【００３５】
例えば、ガス流路１４及びガス流路１５は図２中”ＧＴ２１”に示すように触媒層・拡散層１２及び触媒層・拡散層１３上を蛇行するように形成されている。
【００３６】
また、ガス流路１４が形成されていない触媒層・拡散層１２及びガス流路１４上にはセパレータ１６が形成され、ガス流路１５が形成されていない触媒層・拡散層１３及びガス流路１５上にはセパレータ１７が形成される。
【００３７】
さらに、セパレータ１６内にはセパレータ１６との境界面が絶縁膜１８で覆われた電極２０が形成され、セパレータ１７内にはセパレータ１７との境界面が絶縁膜１９で覆われた電極２１が形成される。
【００３８】
但し、電極２０であってセパレータ１６の外部に引き出された部分には絶縁膜１８は存在せず、同様に、電極２１であってセパレータ１７の外部に引き出された部分には絶縁膜１９は存在しない。
【００３９】
ここで、図１及び図２に示す実施例の動作を図３及び図４を用いて説明する。図３は図１に示す実施例の電極２０及び電極２１から見た等価回路を示す回路図、図４は絶縁膜の誘電率の温度に対する特性を示す特性曲線図である。
【００４０】
ガス流路１４には燃料ガス（例えば、水素等）が供給され、ガス流路１５には酸化ガス（例えば、酸素や空気等）が供給される。
【００４１】
例えば、図２中”ＩＮ２１”に示す供給口から燃料ガスや酸化ガスが供給され、図２中”ＯＴ２１”に示す排気口から反応しなかったガス等が放出される。
【００４２】
アノード側の触媒層・拡散層１２では水素が水素イオン（Ｈ＋ ）になり電子（ｅ− ）を放出し、一方、カソード側の触媒層・拡散層１３側では電解質膜１１を伝播してきた水素イオン（Ｈ＋ ）と酸素原子が電子（ｅ− ）と反応して水（Ｈ２Ｏ ）が生成される。
【００４３】
この時、アノード側の触媒層・拡散層１２及びカソード側の触媒層・拡散層１３（具体的には、セパレータ１６とセパレータ１７）と間の外部負荷（図示せず。）を接続することにより、アノード側の触媒層・拡散層１２で発生した電子（ｅ− ）を取り出す、言い換えれば、直流電流を取り出すことが可能になる。
【００４４】
このような燃料電池の動作状態（発電状態）において、静電容量測定手段（図示せず。）で電極２０及び電極２１の間の静電容量を測定する際には、絶縁膜１８及び絶縁膜１９の静電容量も同時に測定されることになる。
【００４５】
この場合、静電容量測定手段（図示せず。）により電極２０及び電極２１から見た等価回路は図３に示すようになる。
【００４６】
すなわち、図３中”ＥＤ３１”を電極２０、図３中”ＥＤ３２”を電極２１とした場合、図３中”ＣＰ３１”は絶縁膜１８の静電容量値”Ｃ１”を有するコンデンサ、図３中”ＣＰ３２”は絶縁膜１９の静電容量値”Ｃ２”を有するコンデンサ、さらに、図７中”ＣＰ３３”は電解質膜１１の静電容量値”Ｃ３”を有するコンデンサである。
【００４７】
図３から分かるように、静電容量測定手段（図示せず。）で測定される静電容量値”Ｃ”は、絶縁膜１８及び絶縁膜１９の静電容量値”Ｃ１”及び”Ｃ２”を有するコンデンサ（図３中”ＣＰ３１”及び”ＣＰ３２”）と、電解質膜１１の静電容量値”Ｃ３”を有するコンデンサ（図７中”ＣＰ３３”）の直列接続となるので、
【数１】
2008059782.tif 000003
なる式を満足する。
【００４８】
この時、絶縁膜１８及び絶縁膜１９の静電容量値”Ｃ１”及び”Ｃ２”は既知であるので、電解質膜１１内部の水分量を静電容量値”Ｃ３”として測定することができる。
【００４９】
この結果、アノード側及びカソード側の２つのセパレータ内にそれぞれ形成され当該セパレータとの境界面が絶縁膜で覆われた２つの電極を備え、静電容量測定手段（図示せず。）で２つの電極間の静電容量を測定することにより、発電状態の燃料電池の電解質膜の水分量の測定が可能になる。
【００５０】
また、式（１）において電解質膜１１の静電容量を高感度に測定する場合、絶縁膜１８及び絶縁膜１９の静電容量値”Ｃ１”及び”Ｃ２”を電解質膜１１の静電容量値”Ｃ３”に近づけることにより高感度の静電容量の測定が可能になる。
【００５１】
一方、絶縁膜１８（或いは、絶縁膜１９）の静電容量値”Ｃ１”は、
【数２】
2008059782.tif 000004
で計算される。但し、”ε”は誘電率、”Ｓ”は電極面積、”ｄ”は電極間距離（絶縁膜の膜厚）である。
【００５２】
式（２）において”Ｓ”及び”ｄ”は形状で決まる係数であり、一定値であるので、誘電率”ε”を変化させることにより、絶縁膜１８及び絶縁膜１９の静電容量値”Ｃ１”及び”Ｃ２”を電解質膜１１の静電容量値”Ｃ３”に近づけることが可能になる。
【００５３】
ここで、電解質膜１１と、絶縁膜１８及び絶縁膜１９との電極面積と膜厚が等しい場合には、両者の誘電率を近づけることにより、電解質膜１１と、絶縁膜１８及び絶縁膜１９との静電容量値を近づけることができる。
【００５４】
すなわち、電極２０及び電極２１に加熱手段であるヒータ等の温度調整手段をそれぞれ設け、当該電極を覆っている絶縁膜１８及び絶縁膜１９の温度を変化させることにより、絶縁膜の誘電率を変化させ、絶縁膜１８及び絶縁膜１９の静電容量値”Ｃ１”及び”Ｃ２”を電解質膜１１の静電容量値”Ｃ３”に近づけることが可能になる。
【００５５】
絶縁膜１８及び絶縁膜１９の誘電率の温度に対する特性曲線は、例えば、図４中”ＣＨ４１”に示す特性曲線であり、電極２０及び電極２１に設けられたヒータ等の温度調整手段により絶縁膜１８及び絶縁膜１９の温度を温度”Ｔ１”から温度”Ｔ２”に変化させて図４中”ＭＥ４１”に示す電解質膜１１の誘電率に近づけることにより、発電状態において燃料電池の電解質膜の水分量を高感度に測定することが可能になる。
【００５６】
例えば、温度”Ｔ１”とした場合の絶縁膜１８及び絶縁膜１９の静電容量値を”Ｃ１（Ｔ１）”及び”Ｃ２（Ｔ１）”とし、温度”Ｔ２”とした場合の絶縁膜１８及び絶縁膜１９の静電容量値を”Ｃ１（Ｔ２）”及び”Ｃ２（Ｔ２）”とした場合、静電容量測定手段（図示せず。）で測定される静電容量値”Ｃ（Ｔ１）”及び”Ｃ（Ｔ２）”はそれぞれ、
【数３】
2008059782.tif 000005
【数４】
2008059782.tif 000006
となる。
【００５７】
この時、
【数５】
2008059782.tif 000007
【数６】
2008059782.tif 000008
である。
【００５８】
この結果、電極に絶縁膜の温度を調整するヒータ等の温度調整手段をそれぞれ設け、当該電極を覆っている絶縁膜の温度を変化させることにより、絶縁膜の誘電率を変化させ、絶縁膜に起因する静電容量値を電解質膜の静電容量値に近づけることにより、発電状態において燃料電池の電解質膜の水分量を高感度に測定することが可能になる。
【００５９】
なお、図１に示す実施例の説明に際しては、温度調整手段として加熱手段であるヒータ等を例示しているが、温度調整手段としてペルチエ素子やその他の温度調整素子であっても構わない。
【００６０】
また、図１に示す実施例の説明に際しては、電極２０及び電極２１にそれぞれ温度調整手段を設けているが、勿論、１つの温度調整手段を電極２０及び電極２１に設け、電極２０及び電極２１を覆っている絶縁膜１８及び絶縁膜１９の温度を当該１つの温度調整手段で変化させても構わない。
【図面の簡単な説明】
【００６１】
【図１】本発明に係る燃料電池の一実施例を示す断面図である。
【図２】本発明に係る燃料電池の一実施例を示す断面図である。
【図３】電極から見た等価回路を示す回路図である。
【図４】絶縁膜の誘電率の温度に対する特性を示す特性曲線図である。
【図５】従来の燃料電池システムの一例を示す構成ブロック図である。
【図６】燃料電池の電解質膜に対して垂直な面における断面図である。
【図７】燃料電池におけるガス流路に平行な面における断面図である。
【符号の説明】
【００６２】
１，４，１１  電解質膜
２，３，５，６，１２，１３  触媒層・拡散層
７，８，１４，１５  ガス流路
９，１０，１６，１７  セパレータ
１８，１９  絶縁膜
２０，２１  電極
【図１】
2008059782.tif 000009
【図２】
2008059782.tif 000010
【図３】
2008059782.tif 000011
【図４】
2008059782.tif 000012
【図５】
2008059782.tif 000013
【図６】
2008059782.tif 000014
【図７】
2008059782.tif 000015